(57)【要約】  本発明の電気化学セルの処理及び／又は修理方法は、（S1）少なくとも１つの後続の処理ステップ（S5）を決定するために、個別の検査されるべき電気化学セルのパラメータデータ（DPar.）を取得するステップと、（S2）パラメータデータを制御ユニットに伝達するステップと、（S3）電気化学セルをパラメータデータに割り当てるステップと、（S4）制御ユニットを用いて、パラメータデータに割り当てられた電気化学セルに対して、所定のパラメータ値（WPar.、WPar.1、WPar.2、WPar.3、WPar.4、WPar.5）に関して、パラメータデータの所定の関係が存在するかどうかを決定するステップと、パラメータデータの所定の関係が存在すると決定された場合に、第１の所定の電気化学セル処理ステップを実行するステップ、及びパラメータデータの所定の関係が存在しないと決定された場合に、第２の所定の電気化学セル処理ステップを実行するステップと、を有する。
2014520373.tif 000002
【特許請求の範囲】
【請求項１】
バッテリ、特に自動車において使用するために構成されたバッテリのための電気化学セルの処理及び／又は修理方法において、
前記方法が、
（Ｓ１）個別の電気化学セルに関して、少なくとも１つの後続の処理ステップ（Ｓ５）を決定するために、個別の検査されるべき前記電気化学セルのパラメータデータ（ＤＰａｒ．）を取得するステップと、
（Ｓ２）前記パラメータデータ（ＤＰａｒ．）を制御ユニットに伝達するステップと、
（Ｓ３）前記パラメータデータ（ＤＰａｒ．）を前記電気化学セルに割り当てるステップ、好ましくは前記パラメータデータ（ＤＰａｒ．）を、個別の前記電気化学セルに属するものとして記憶するステップと、
（Ｓ４）前記制御ユニットを用いて、前記パラメータデータに割り当てられた前記電気化学セルに対して、所定のパラメータ値（ＷＰａｒ．、ＷＰａｒ．１、ＷＰａｒ．２、ＷＰａｒ．３、ＷＰａｒ．４、ＷＰａｒ．５）に関して、前記パラメータデータ（ＤＰａｒ．）の所定の関係が存在するかどうかを決定するステップと、
（Ｓ５）前記所定のパラメータ値（ＷＰａｒ．、ＷＰａｒ．１、ＷＰａｒ．２、ＷＰａｒ．３、ＷＰａｒ．４、ＷＰａｒ．５）に関して、前記パラメータデータ（ＤＰａｒ．）の所定の関係が存在すると決定された場合に、第１の所定の電気化学セル処理ステップを実行するステップ、及び、好ましくは、前記所定のパラメータ値（ＷＰａｒ．、ＷＰａｒ．１、ＷＰａｒ．２、ＷＰａｒ．３、ＷＰａｒ．４、ＷＰａｒ．５）に関して、前記パラメータデータ（ＤＰａｒ．）の所定の関係が存在しないと決定された場合に、第２の所定の電気化学セル処理ステップを実行するステップと、
を有することを特徴とする方法。
【請求項２】
パラメータデータ（ＤＰａｒ．）を取得する前記ステップ（Ｓ１）が、
（Ｓ１ａ）圧力を加えた後の、特に好ましくは平らに形成された電気化学セルの側面に圧力を加えた後の、前記電気化学セルの内部抵抗の変化を把握するステップ、
（Ｓ１ｂ）前記電気化学セルの内部抵抗を把握するステップ、
（Ｓ１ｃ）前記電気化学セルの内圧を把握するステップ、
（Ｓ１ｄ）前記電気化学セルの開路電圧を把握するステップ、
（Ｓ１ｅ）前記電気化学セルの容量を把握するステップ、又は、
（Ｓ１ｆ）レントゲン法を用いて前記電気化学セルの内部構造を把握するステップ、の内少なくとも１つの把握ステップを有することを特徴とする請求項１に記載の電気化学セルの処理及び／又は修理方法。
【請求項３】
前記制御ユニットを用いて決定するステップ（Ｓ４）が、
（Ｓ４ａ）伝達された前記パラメータデータ（ＤＰａｒ．）が所定の第１のパラメータ値（ＷＳｗｔ．１）を有しているかを決定するステップ、
（Ｓ４ｂ）伝達された前記パラメータデータ（ＤＰａｒ．）が所定の第２のパラメータ値（ＷＳｗｔ．２）を有しないかを決定するステップ、
（Ｓ４ｃ）伝達された前記パラメータデータ（ＤＰａｒ．）が所定の第３のパラメータ値（ＷＳｗｔ．３）を超過しているかを決定するステップ、
（Ｓ４ｄ）伝達された前記パラメータデータ（ＤＰａｒ．）が所定の第４のパラメータ値（ＷＳｗｔ．４）を下回っているかを決定するステップ、又は、
（Ｓ４ｅ）伝達された前記パラメータデータ（ＤＰａｒ．）が、所定の第５のパラメータ値（ＷＳｗｔ．５）の周囲のパラメータ値範囲内に含まれているかを決定するステップ、の内少なくとも１つの決定ステップを有することを特徴とする請求項１又は２に記載の電気化学セルの処理及び／又は修理方法。
【請求項４】
前記電気化学セルの第１の所定の処理ステップを実行するステップ（Ｓ５）及び／又は前記電気化学セルの第２の所定の処理ステップを実行するステップ（Ｓ５’）は、
（Ｓ５ａ）前記決定ステップ（Ｓ４、Ｓ４ａ、Ｓ４ｂ、Ｓ４ｃ、Ｓ４ｄ、Ｓ４ｅ）の少なくとも１つの結果に応じて、前記電気化学セルの少なくとも１つの所定の充電、好ましくは１００ｍＡから８５０ｍＡまでの範囲の電荷電流を用いた１５秒から６０秒にわたるゆっくりとした充電を選択し実行するステップ、
（Ｓ５ｂ）前記決定ステップ（Ｓ４、Ｓ４ａ、Ｓ４ｂ、Ｓ４ｃ、Ｓ４ｄ、Ｓ４ｅ）の少なくとも１つの結果に応じて、前記電気化学セルの少なくとも１つの所定の硬化を選択し実行するステップ、
（Ｓ５ｃ）前記決定ステップ（Ｓ４、Ｓ４ａ、Ｓ４ｂ、Ｓ４ｃ、Ｓ４ｄ、Ｓ４ｅ）の少なくとも１つの結果に応じて、前記電気化学セルの少なくとも１つの所定の安定化を選択し実行するステップ、
（Ｓ５ｄ）前記決定ステップ（Ｓ４、Ｓ４ａ、Ｓ４ｂ、Ｓ４ｃ、Ｓ４ｄ、Ｓ４ｅ）の少なくとも１つの結果に応じて、前記電気化学セルの少なくとも１つの所定の成形を選択し実行するステップ、
（Ｓ５ｅ）前記決定ステップ（Ｓ４、Ｓ４ａ、Ｓ４ｂ、Ｓ４ｃ、Ｓ４ｄ、Ｓ４ｅ）の少なくとも１つの結果に応じて、前記電気化学セルの少なくとも１つの所定の圧延を選択し実行するステップ、
（Ｓ５ｆ）前記決定ステップ（Ｓ４、Ｓ４ａ、Ｓ４ｂ、Ｓ４ｃ、Ｓ４ｄ、Ｓ４ｅ）の少なくとも１つの結果に応じて、前記電気化学セルの少なくとも１つの所定の平滑化を選択し実行するステップ、
（Ｓ５ｇ）前記決定ステップ（Ｓ４、Ｓ４ａ、Ｓ４ｂ、Ｓ４ｃ、Ｓ４ｄ、Ｓ４ｅ）の少なくとも１つの結果に応じて、前記電気化学セルの少なくとも１つの所定の拭い取りを選択し実行するステップ、
（Ｓ５ｈ）前記決定ステップ（Ｓ４、Ｓ４ａ、Ｓ４ｂ、Ｓ４ｃ、Ｓ４ｄ、Ｓ４ｅ）の少なくとも１つの結果に応じて、前記電気化学セルの少なくとも１つの所定の削りを選択し実行するステップ、又は、
（Ｓ５ｉ）前記決定ステップ（Ｓ４、Ｓ４ａ、Ｓ４ｂ、Ｓ４ｃ、Ｓ４ｄ、Ｓ４ｅ）の少なくとも１つの結果に応じて、前記電気化学セルの少なくとも１つの所定のガス抜きを選択し実行するステップ、の内少なくとも１つの処理ステップを有することを特徴とする請求項１から３のいずれか一項に記載の電気化学セルの処理及び／又は修理方法。
【請求項５】
請求項１から４のいずれか一項に記載の処理及び／又は修理方法の内１つにしたがって処理又は修理された複数の電気化学セルを有するバッテリ。
【請求項６】
保守方法が、請求項１から４のいずれか一項に記載の電気化学セルの処理及び／又は修理方法を含むことを特徴とするバッテリの保守方法。
【発明の詳細な説明】
【技術分野】
【０００１】
本発明は、電気化学セルの処理及び／又は修理方法と、当該方法によって処理された複数の電気化学セルを有するバッテリとに関する。
【背景技術】
【０００２】
電気化学エネルギー貯蔵装置は、以下においては電気化学セル又はガルバニセルとも表記するが、積層可能なユニットの形状で製造されることが多く、当該ユニットから、複数のセルを統合することによって、バッテリが、様々な用途のため、特に電気によって駆動される自動車において使用するために製造され得る。本発明は、自動車内での使用に関連して説明されるが、当該方法及び対応して構成された電気化学セルを有するバッテリは、自動車とは無関係に、例えば定置使用の際にも、特に絶え間ないエネルギー供給又は定置エネルギー貯蔵装置のために動作可能であることを指摘しておく。
【０００３】
先行技術からは、電気化学セルを処理及び／又は修理するための様々な方法と、対応する電気化学セルと、複数の電気化学セルを有するバッテリとが知られている。
【０００４】
ここで、優先権の基礎となる独国特許出願102011105424の全内容は、参照により本願の構成要素となる。
【発明の概要】
【発明が解決しようとする課題】
【０００５】
本発明の課題は、電気化学セルの処理及び／又は修理方法を改善し、対応して処理又は修理された複数の電気化学セルを有するバッテリを提供することにある。
【課題を解決するための手段】
【０００６】
本課題は、請求項１に記載の電気化学セルの処理及び／又は修理方法と、請求項５に記載のバッテリと、請求項６に記載のバッテリの保守方法とによって解決される。下位請求項は、本発明の有利なさらなる構成に関する。
【０００７】
バッテリ、特に自動車内で使用するために構成されたバッテリのための電気化学セルを処理及び／又は修理するための方法において、本課題は、当該処理及び／又は修理方法が以下のステップを有することによって解決される。すなわち、個別の電気化学セルに関して、少なくとも１つの後続の処理ステップを決定するために、個別の検査されるべき電気化学セルのパラメータデータを取得するステップ、パラメータデータを制御ユニットに伝達するステップ、電気化学セルをパラメータデータに割り当てるステップ、好ましくは電気化学セルに関するパラメータデータを記憶するステップ、制御ユニットを用いて、パラメータデータに割り当てられた電気化学セルにとって、所定のパラメータ値に関して、パラメータデータの所定の関係が存在するかどうかを決定するステップ、所定のパラメータ値に関して、パラメータデータの所定の関係が存在すると決定された場合に、第１の所定の電気化学セル処理ステップを実行するステップ、及び、所定のパラメータ値に関して、パラメータデータの所定の関係が存在しないと決定された場合に、好ましくは第２の所定の電気化学セル処理ステップを実行するステップである。当該方法の利点は、個別のセルに関して、第１の処理の後、後続の処理ステップを狙いを定めて決定することが可能であり、それによって、製造方法における当該セルの品質と生産量とが向上し得ることにある。
【０００８】
電気化学セルの製造においては、まず、電極とセパレータとを有する電極アセンブリが作製され、当該電極アセンブリがカバーに入れられた後、セパレータが電解質を用いずに加工された場合には、必要に応じて電解質が加えられる。引き続いて、電気化学セルがその呼び容量の好ましくは４７％まで、又は、３．６５Ｖのセル電圧に充電され、例えば硬化、圧延、平滑化、剥離、削り、安定化、焼き戻し、成形、ガス抜き等の処理ステップが行われ得る。引き続いて、例えば、品質又は生産量を高めるためのさらなる処理ステップを決定するために、パラメータデータを取得することが可能であり、必要に応じて、硬化、圧延、平滑化、剥離、削り、安定化、焼き戻し、成形又はガス抜き等のさらなる処理が行われる。
【０００９】
本発明に関連して電気化学セルとは、電気化学エネルギー貯蔵装置であると理解すべきである。すなわち、エネルギーを化学的形態で貯蔵し、電気的形態で負荷（Verbraucher）に放出し、好ましくはまた、充電装置から電気的形態で受容することもできる装置のことである。当該電気化学エネルギー貯蔵装置の重要な例は、ガルバニセル又は燃料電池である。電気化学セルは、電気的に異なる電荷を蓄えるための少なくとも１つの第１装置及び少なくとも１つの第２装置と、これら両方の装置の電気的な作用接続を形成するための手段とを有しており、電荷担体はこれら２つの装置の間を移動することができる。電気的作用接続を形成する手段とは、例えばイオン伝導体として作用する電解質であると理解される。
【００１０】
本発明に関連してパラメータデータとは、複数のパラメータデータだけではなく、場合によっては個別のパラメータデータでもあると理解すべきである。それに応じて、本発明に関連して、所定のパラメータ値とは、複数の所定のパラメータ値だけではなく、場合によっては個別の所定のパラメータ値でもあると理解すべきである。
【００１１】
電気化学セルの処理及び／又は修理方法において、パラメータデータを取得するステップが、圧力を加えた後の、特に好ましくは平らに形成された電気化学セルの側面に圧力を加えた後の、電気化学セルの内部抵抗の変化を把握するステップを有していると有利であることがわかっている。電気化学セルの側面に圧力を加えた後の、電気化学セルの内部抵抗の変化は、電気化学セルの品質を評価するため、又は、当該電気化学セルの後続の処理ステップを決定するための好ましいパラメータであることがわかっている。検査されるべき電気化学セルに、外側から機械によって圧力が加えられる場合、当該電気化学セルはその硬さに応じて変形し得る。それによって、電気化学セルの状態と所定の関係にある、外部圧力を加えた後の電気化学セルの内部抵抗の変化が生じる。比較的硬質で、その内部抵抗が側面に圧力を加えた後も殆ど変化しない電気化学セルは、密封の後もはやガスを放出しない。したがって、圧力変化に関する内部抵抗の変化を通じて、電気化学セルを、様々な種類の品質と、品質を向上させるための対応する後続の処理ステップとに、特に容易かつ確実に割り当てることができる。それによって、品質は、例えば以下の関係式で表される。このとき、ｄＲｉは内部抵抗の変化を意味し、ｄＦは加えられた力の変化を意味している。
【００１２】
【数１】
2014520373.tif 000003
【００１３】
本発明に関連して平型電気化学セルとは、外形が略平行な２つの面によって特徴づけられている電気化学セルであると理解すべきである。これらの略平行な２つの面同士の垂直方向の距離は、これらの面に対して平行に測定されたセルの平均的な長さよりも短い。これらの面の間には、多くの場合パッケージ又はセルハウジングに被覆された状態で、セルの電気化学的に活性な構成要素が配置されている。このようなセルは多くの場合、多層構造のホイルパッケージによって包囲されており、当該ホイルパッケージはセルパッケージの縁に密封継ぎ目を有しており、当該密封継ぎ目は、ホイルパッケージを持続的に接合又は閉止することによって、密封継ぎ目の領域に形成されている。このようなセルは多くの場合、パウチセル又はコーヒーバッグセルとも称される。
【００１４】
さらに、パラメータデータを取得するステップは、電気化学セルの内部抵抗の把握、電気化学セルの内圧の把握、電気化学セルの開路電圧の把握、電気化学セルの容量の把握、又は、レントゲン法を用いた電気化学セルの内部構造の把握を含んでいても良い。
【００１５】
さらに、本発明に係る方法を、電気化学セルを初期化する際に、初期化に適合したＧＩＴＴ法（定電流間欠滴定法）と組み合わせて用いても良い。
【００１６】
制御ユニットを用いて決定するステップが、以下の決定ステップの内少なくとも１つを有していると有利であることがわかっている。すなわち、伝達されたパラメータデータが所定の第１のパラメータ値を有するかを決定する決定ステップ、及び／又は、伝達されたパラメータデータが所定の第２のパラメータ値を有しないかを決定する決定ステップである。
【００１７】
好ましくは、制御ユニットを用いて決定するステップは、以下の決定ステップの内少なくとも１つを有していると有利である。すなわち、伝達されたパラメータデータが所定の第３のパラメータ値を超過するかを決定する決定ステップ、及び／又は、伝達されたパラメータデータが所定の第４のパラメータ値を下回るかを決定する決定ステップである。
【００１８】
加えて、制御ユニットを用いて決定するステップは、パラメータデータが、所定の第５のパラメータ値の周囲の少なくとも１つの所定のパラメータ値範囲内に含まれているかを決定するステップを有していても良い。
【００１９】
好ましくは、処理及び／又は修理方法は、以下の処理ステップの内少なくとも１つを有している。すなわち、決定ステップの少なくとも１つの結果に応じて、電気化学セルの少なくとも１つの所定の充電、好ましくは１００ｍＡから８５０ｍＡまでの範囲の電荷電流を用いた１５秒から６０秒にわたるゆっくりとした充電を選択し実行するステップ、決定ステップの少なくとも１つの結果に応じて、電気化学セルの少なくとも１つの所定の硬化を選択し実行するステップ、決定ステップの少なくとも１つの結果に応じて、電気化学セルの少なくとも１つの所定の安定化を選択し実行するステップ、決定ステップの少なくとも１つの結果に応じて、電気化学セルの少なくとも１つの所定の成形を選択し実行するステップ、決定ステップの少なくとも１つの結果に応じて、電気化学セルの少なくとも１つの所定の圧延を選択し実行するステップ、決定ステップの少なくとも１つの結果に応じて、電気化学セルの少なくとも１つの所定の平滑化を選択し実行するステップ、決定ステップの少なくとも１つの結果に応じて、電気化学セルの少なくとも１つの所定の拭い取りを選択し実行するステップ、決定ステップの少なくとも１つの結果に応じて、電気化学セルの少なくとも１つの所定の削りを選択し実行するステップ、又は、決定ステップの少なくとも１つの結果に応じて、電気化学セルの少なくとも１つの所定のガス抜きを選択し実行するステップである。当該態様の利点は、例えば決定ステップによって、電気化学セルが特に軟らかいと判明した場合、後続の硬化ステップを行うことが可能であり、他方、例えば決定ステップで電気化学セルが十分な硬さを備えていると判明した場合、後続の処理ステップを省略し得ることにある。
【００２０】
本発明に係る処理及び／又は修理方法のさらなる利点は、例えばレントゲン測定又は内部抵抗変化測定の際に所定の測定値に基づいて、電極の一部、セクション、縁部等が個別に、又は、共に分離していることが確認された場合に、硬化ではなく、１００ｍＡから８５０ｍＡまでの範囲の電荷電流を用いた１５秒から６０秒にわたるゆっくりとした充電が、好ましくは繰り返されて、実施され、それによって、分離した領域が再び固化又は接着することにある。
【００２１】
第２の態様によると、バッテリにおいて、本課題は、当該バッテリの電気化学セルが、上述の製造方法の内１つに従って処理又は修理されたことによって解決される。好ましくは、バッテリは−６０℃から＋１２０℃までの温度範囲、特に好ましくは−４０℃から＋１００℃までの温度範囲のために設計されている。加えて、これらのバッテリは、好ましくは２５Ａｈより大きい充電容量を、特に好ましくは５００Ａｈから１２００Ａｈまでの充電容量を有している。さらに、これらのバッテリは、好ましくは２５Ａから１２００Ａまでの放電電流、特に好ましくは１００Ａから４００Ａまでの放電電流のために設計されている。
【００２２】
本発明のさらなる利点は、分離した電極の一部、セクション、縁部等が再び固化又は接着し、それによってバッテリの寿命と出力とが高められ得るようなバッテリの保守方法が、例えば自動車の検査の際に可能であることにある。
【００２３】
以下に、本発明の態様を、好ましい実施例に基づき、図を用いて詳細に説明する。示されているのは以下の図である。
【図面の簡単な説明】
【００２４】
【図１】第１の実施例に係る、電気化学セルの処理及び／又は修理方法を示すフローチャートである。
【図２】第２の実施例に係る、電気化学セルの処理及び／又は修理方法を示すフローチャートである。
【図３】第３の実施例に係る、電気化学セルの処理及び／又は修理方法を示すフローチャートである。
【図４】第４の実施例に係る、電気化学セルの処理及び／又は修理方法を示すフローチャートである。
【図５】第５の実施例に係る、電気化学セルの処理及び／又は修理方法を示すフローチャートである。
【図６】第６の実施例に係る、電気化学セルの処理及び／又は修理方法を示すフローチャートである。
【図７】パラメータデータを取得する際の好ましいステップを示した図である。
【図８】個別の電気化学セルの後続の処理における好ましいステップを示した図である。
【発明を実施するための形態】
【００２５】
図１は、第１の実施例に係る、電気化学セルの処理及び／又は修理方法を示すフローチャートである。ステップＳ１において、検査されるべき電気化学セルのパラメータデータＤＰａｒ．が取得される。ステップＳ２において、パラメータデータＤＰａｒ．が制御ユニットに伝達され、ステップＳ３において、これらのパラメータデータＤＰａｒ．が電気化学セルに割り当てられる。
【００２６】
制御ユニットを用いて、これらのパラメータデータＤＰａｒ．が、所定のパラメータ値ＷＰａｒ．に関して所定の関係を有しているかが決定される。パラメータデータＤＰａｒ．が所定のパラメータ値ＷＰａｒ．に関して所定の関係を有している場合、当該電気化学セルに関して、第１の所定の後続処理ステップＳ５、特に要求に合致するセルに関するさらなる処理ステップが決定される。そうではなく、パラメータデータＤＰａｒ．が所定のパラメータ値ＷＰａｒ．に関して所定の関係を有しない場合には、当該電気化学セルに関して、第２の所定の後続処理ステップＳ５’、特に要求に合致しないセルに関する追加的な修理ステップが選択的に決定され得る。例えば、ステップＳ１は、セルに剥離された領域が存在するか否かの把握を含んでいても良い。剥離された領域が存在しないことが把握された場合、セルの通常の事前充電及び最終処理プロセスが行われる。これに対して、セルが要求に合致しないことが把握された場合、例えばセルに剥離された領域が存在することが把握された場合、セルには選択的に、例えば０．１５Ｃから０．３Ｃまでが充電され、例えば剥離された領域が修復される。０．０３Ｃの充電を選択的に行うことも可能である。製造方法においては、セルが要求に合致することが把握された場合、事前充電プロセス、形成プロセス（特に定電流／定電圧法、パルス法、波法（Wellenverfahren）又は定電圧法）及び最終処理プロセスが続いても良い。例えば４０Ａｈより大きい充電容量を有するべきセルが当該要求に合致しないことが把握された場合、１分間から５分間、好ましくは３分間にわたる処理ステップが実施され得る。２つの修理プロセスの後、セルが電気車両の品質要求に合致しないことが判明した場合、当該セルは電気車両で使用しないように選別される。製造方法において、この修理ステップは、特に高い充電容量を有する大型セルにとって、最終処理（Finishing）の際に重要になる。
【００２７】
例えば２０Ａｈの充電容量を有するべきである、例えばＬＩＰＦセル又はＰＰ／ＰＥセパレータ（ポリプロピレン／ポリエチレンセパレータ）を備えたＣ／ＬＩＦＰセルの場合、０．１５Ｃの充電において、４５秒後には改善がみられることがわかっている。
【００２８】
図２は、第２の実施例に係る、電気化学セルの処理及び／又は修理方法を示すフローチャートであり、そのステップＳ１からＳ３は第１の実施例のステップに相当しているということを、繰り返しを避けるために指摘する。
【００２９】
制御ユニットを用いて、これらのパラメータデータＤＰａｒ．が、所定の第１のパラメータ値ＷＰａｒ．１を有しているかが決定される。パラメータデータＤＰａｒ．が、所定の第１のパラメータ値ＷＰａｒ．１を有している場合、当該電気化学セルに関して、第１の所定の後続処理ステップＳ５が決定される。そうではなく、パラメータデータＤＰａｒ．が、所定の第１のパラメータ値ＷＰａｒ．１を有しない場合には、当該電気化学セルに関して、第２の所定の後続処理ステップＳ５’が決定され得る。
【００３０】
図３は、第３の実施例に係る、電気化学セルの処理及び／又は修理方法を示すフローチャートであり、そのステップＳ１からＳ３は第１の実施例のステップに相当しているということを、繰り返しを避けるために指摘する。
【００３１】
制御ユニットを用いて、これらのパラメータデータＤＰａｒ．が、所定の第２のパラメータ値ＷＰａｒ．２を有しないかが決定される。パラメータデータＤＰａｒ．が、所定の第２のパラメータ値ＷＰａｒ．２を有しない場合、当該電気化学セルに関して、第１の所定の後続処理ステップＳ５が決定される。そうではなく、パラメータデータＤＰａｒ．が、所定の第２のパラメータ値ＷＰａｒ．２を有する場合には、当該電気化学セルに関して、第２の所定の後続処理ステップＳ５’が決定され得る。
【００３２】
図４は、第４の実施例に係る、電気化学セルの処理及び／又は修理方法を示すフローチャートであり、そのステップＳ１からＳ３は第１の実施例のステップに相当しているということを、繰り返しを避けるために指摘する。
【００３３】
制御ユニットを用いて、これらのパラメータデータＤＰａｒ．が、所定の第３のパラメータ値ＷＰａｒ．３を超過しているかが決定される。パラメータデータＤＰａｒ．が、所定の第３のパラメータ値ＷＰａｒ．３を超過している場合、当該電気化学セルに関して、第１の所定の後続処理ステップＳ５が決定される。そうではなく、パラメータデータＤＰａｒ．が、所定の第３のパラメータ値ＷＰａｒ．３を超過していない場合には、当該電気化学セルに関して、第２の所定の後続処理ステップＳ５’が決定され得る。
【００３４】
図５は、第５の実施例に係る、電気化学セルの処理及び／又は修理方法を示すフローチャートであり、そのステップＳ１からＳ３は第１の実施例のステップに相当しているということを、繰り返しを避けるために指摘する。
【００３５】
制御ユニットを用いて、これらのパラメータデータＤＰａｒ．が、所定の第４のパラメータ値ＷＰａｒ．４を超過していないかが決定される。パラメータデータＤＰａｒ．が、所定の第４のパラメータ値ＷＰａｒ．４を下回る場合、当該電気化学セルに関して、第１の所定の後続処理ステップＳ５が決定される。そうではなく、パラメータデータＤＰａｒ．が、所定の第４のパラメータ値ＷＰａｒ．４を下回らない場合には、当該電気化学セルに関して、第２の所定の後続処理ステップＳ５’が決定され得る。
【００３６】
図６は、第６の実施例に係る、電気化学セルの処理及び／又は修理方法を示すフローチャートであり、そのステップＳ１からＳ３は第１の実施例のステップに相当しているということを、繰り返しを避けるために指摘する。
【００３７】
制御ユニットを用いて、これらのパラメータデータＤＰａｒ．が、所定の第５のパラメータ値ＷＰａｒ．５の周囲の所定のパラメータ範囲内に含まれているかが決定される。パラメータデータＤＰａｒ．が、所定の第５のパラメータ値ＷＰａｒ．５の周囲の所定のパラメータ範囲内に含まれている場合、当該電気化学セルに関して、第１の所定の後続処理ステップＳ５が決定される。そうではなく、パラメータデータＤＰａｒ．が、所定の第５のパラメータ値ＷＰａｒ．５の周囲の所定のパラメータ範囲内に含まれていない場合には、当該電気化学セルに関して、第２の所定の後続処理ステップＳ５’が決定され得る。
【００３８】
図７は、パラメータデータを取得する際の好ましいステップを示している。図７に示すように、パラメータデータを取得するステップは、圧力を加えた後の、特に好ましくは平らに形成された電気化学セルの側面に圧力を加えた後の、電気化学セルの内部抵抗の変化を把握するステップＳ１ａ、及び／又は、電気化学セルの内部抵抗を把握するステップＳ１ｂ、及び／又は、電気化学セルの内圧を把握するステップＳ１ｃ、及び／又は、電気化学セルの開路電圧を把握するステップＳ１ｄ、及び／又は、電気化学セルの容量を把握するステップＳ１ｅ、及び／又は、レントゲン法を用いて電気化学セルの内部構造を把握するステップＳ１ｆを有していても良い。
【００３９】
図８は、必要に応じて決定された個別の電気化学セルの後続の処理における好ましいステップを示している。図８に示すように、電気化学セルの後続の処理プロセスは、決定ステップＳ４、Ｓ４ａ、Ｓ４ｂ、Ｓ４ｃ、Ｓ４ｄ、Ｓ４ｅの少なくとも１つの結果に応じて、電気化学セルの少なくとも１つの所定の充電を選択し実行するステップＳ５ａ、及び／又は、決定ステップＳ４、Ｓ４ａ、Ｓ４ｂ、Ｓ４ｃ、Ｓ４ｄ、Ｓ４ｅの少なくとも１つの結果に応じて、電気化学セルの少なくとも１つの所定の硬化を選択し実行するステップＳ５ｂ、及び／又は、決定ステップＳ４、Ｓ４ａ、Ｓ４ｂ、Ｓ４ｃ、Ｓ４ｄ、Ｓ４ｅの少なくとも１つの結果に応じて、電気化学セルの少なくとも１つの所定の安定化を選択し実行するステップＳ５ｃ、及び／又は、決定ステップＳ４、Ｓ４ａ、Ｓ４ｂ、Ｓ４ｃ、Ｓ４ｄ、Ｓ４ｅの少なくとも１つの結果に応じて、電気化学セルの少なくとも１つの所定の成形を選択し実行するステップＳ５ｄ、及び／又は、決定ステップＳ４、Ｓ４ａ、Ｓ４ｂ、Ｓ４ｃ、Ｓ４ｄ、Ｓ４ｅの少なくとも１つの結果に応じて、電気化学セルの少なくとも１つの所定の圧延を選択し実行するステップＳ５ｅ、及び／又は、決定ステップＳ４、Ｓ４ａ、Ｓ４ｂ、Ｓ４ｃ、Ｓ４ｄ、Ｓ４ｅの少なくとも１つの結果に応じて、電気化学セルの少なくとも１つの所定の平滑化を選択し実行するステップＳ５ｆ、及び／又は、決定ステップＳ４、Ｓ４ａ、Ｓ４ｂ、Ｓ４ｃ、Ｓ４ｄ、Ｓ４ｅの少なくとも１つの結果に応じて、電気化学セルの少なくとも１つの所定のガス抜きを選択し実行するステップＳ５ｇを有していても良い。
【００４０】
本発明は、さらに当該電気化学セルを有するバッテリ、特に自動車内部で使用するために構成された、当該電気化学セルを有するバッテリに関する。加えて、本発明はバッテリの保守方法にも関する。
【符号の説明】
【００４１】
Ｓ１  検査されるべき個別の電気化学セルのパラメータデータを取得する
Ｓ１ａ  圧力を加えた後の電気化学セルの内部抵抗の変化を把握する
Ｓ１ｂ  電気化学セルの内部抵抗を把握する
Ｓ１ｃ  電気化学セルの内圧を把握する
Ｓ１ｄ  電気化学セルの開路電圧を把握する
Ｓ１ｅ  電気化学セルの容量を把握する
Ｓ１ｆ  レントゲン法を用いて電気化学セルの内部構造を把握する
Ｓ２  パラメータデータを制御ユニットに伝達する
Ｓ３  パラメータデータを電気化学セルに割り当てる
Ｓ４  制御ユニットを用いて、所定の関係が存在するかを決定する
Ｓ４ａ  伝達されたパラメータデータが所定の第１のパラメータ値を有するかを決定する
Ｓ４ｂ  伝達されたパラメータデータが所定の第２のパラメータ値を有しないかを決定する
Ｓ４ｃ  伝達されたパラメータデータが所定の第３のパラメータ値を超過しているかを決定する
Ｓ４ｄ  伝達されたパラメータデータが所定の第４のパラメータ値を下回るかを決定する
Ｓ４ｅ  伝達されたパラメータデータが所定の第５のパラメータ値の周囲の所定のパラメータ値範囲内に含まれるかを決定する
Ｓ５  電気化学セルの第１の所定の処理ステップを選択し実行する
Ｓ５’  電気化学セルの第２の所定の処理ステップを選択し実行する
Ｓ５ａ  電気化学セルの所定の充電を選択し実行する
Ｓ５ｂ  電気化学セルの所定の硬化を選択し実行する
Ｓ５ｃ  電気化学セルの所定の安定化を選択し実行する
Ｓ５ｄ  電気化学セルの所定の成形を選択し実行する
Ｓ５ｅ  電気化学セルの所定の圧延を選択し実行する
Ｓ５ｆ  電気化学セルの所定の平滑化を選択し実行する
Ｓ５ｇ  電気化学セルの所定のガス抜きを選択し実行する
【図１】
2014520373.tif 000004
【図２】
2014520373.tif 000005
【図３】
2014520373.tif 000006
【図４】
2014520373.tif 000007
【図５】
2014520373.tif 000008
【図６】
2014520373.tif 000009
【図７】
2014520373.tif 000010
【図８】
2014520373.tif 000011
【国際調査報告】
2014520373.tif 000012
2014520373.tif 000013
2014520373.tif 000014
2014520373.tif 000015
2014520373.tif 000016
2014520373.tif 000017
2014520373.tif 000018
2014520373.tif 000019
2014520373.tif 000020
2014520373.tif 000021
2014520373.tif 000022
2014520373.tif 000023
2014520373.tif 000024
2014520373.tif 000025
2014520373.tif 000026
2014520373.tif 000027
2014520373.tif 000028